(57)【要約】【課題】撮像装置を用いて被写体を撮影する場合に、撮影画像の画質をユーザが好みに応じて容易に調整できるようにする。【解決手段】被写体像を光電変換して画像信号を生成する撮像部と、撮像部で生成された画像信号を表示する表示部と、撮像部により生成された画像信号の画質を調整する画質調整部と、画質を調整するための複数の調整項目の各調整値を変化させた組み合わせである複数のプリセットグループを記憶する記憶部と、複数のプリセットグループの画質調整値を反映させた画像を予め定められた時間間隔で順番に前記表示部に表示させる表示制御部と、表示部に順番に表示される画像の中から目標とする画像を選択する選択部と、選択部により選択された画像に対応するプリセットグループを画質調整値として設定する設定部とを具備する。【選択図】図２
2007288620.tif 000002
【特許請求の範囲】
【請求項１】
被写体像を光電変換して画像信号を生成する撮像手段と、
前記撮像手段で生成された画像信号を表示する表示手段と、
前記撮像手段により生成された画像信号の画質を調整する画質調整手段と、
前記画質を調整するための複数の調整項目の各調整値を変化させた組み合わせである複数のプリセットグループを記憶する記憶手段と、
前記複数のプリセットグループの画質調整値を前記画質調整手段により反映させた画像を予め定められた時間間隔で順番に前記表示手段に表示させる表示制御手段と、
前記表示手段に順番に表示される画像の中から目標とする画像を選択する選択手段と、
前記選択手段により選択された画像に対応する前記プリセットグループを画質調整値として設定する設定手段と、
を具備することを特徴とする撮像装置。
【請求項２】
前記時間間隔を設定する設定手段をさらに具備することを特徴とする請求項１に記載の撮像装置。
【請求項３】
被写体像を光電変換して画像信号を生成する撮像手段と、
前記撮像手段で生成された画像信号を表示する表示手段と、
前記撮像手段により生成された画像信号の画質を調整する画質調整手段と、
前記画質を調整するための複数の調整項目の１つを選択する第１の選択手段と、
前記第１の選択手段により選択された１つの調整項目の調整値を予め定められた量ずつ変化させ、該予め定められた量ずつ変化した調整値が前記画質調整手段により反映された画像を予め定められた時間間隔で順番に前記表示手段に表示させる表示制御手段と、
前記表示手段に順番に表示される画像の中から目標とする画像を選択する第２の選択手段と、
前記第２の選択手段により選択された画像に対応する前記調整値を画質調整値として設定する設定手段と、
を具備することを特徴とする撮像装置。
【請求項４】
前記時間間隔を設定する設定手段をさらに具備することを特徴とする請求項３に記載の撮像装置。
【請求項５】
被写体像を光電変換して画像信号を生成する撮像手段と、前記撮像手段で生成された画像信号を表示する表示手段とを備える撮像装置を制御する方法であって、
前記撮像手段により生成された画像信号の画質を調整する画質調整工程と、
前記画質を調整するための複数の調整項目の各調整値を変化させた組み合わせである複数のプリセットグループを記憶する記憶工程と、
前記複数のプリセットグループの画質調整値を前記画質調整工程において反映させた画像を予め定められた時間間隔で順番に前記表示手段に表示させる表示制御工程と、
前記表示手段に順番に表示される画像の中から目標とする画像を選択する選択工程と、
前記選択工程において選択された画像に対応する前記プリセットグループを画質調整値として設定する設定工程と、
を具備することを特徴とする撮像装置の制御方法。
【請求項６】
前記時間間隔を設定する設定工程をさらに具備することを特徴とする請求項５に記載の撮像装置の制御方法。
【請求項７】
被写体像を光電変換して画像信号を生成する撮像手段と、前記撮像手段で生成された画像信号を表示する表示手段とを備える撮像装置を制御する方法であって、
前記撮像手段により生成された画像信号の画質を調整する画質調整工程と、
前記画質を調整するための複数の調整項目の１つを選択する第１の選択工程と、
前記第１の選択工程において選択された１つの調整項目の調整値を予め定められた量ずつ変化させ、該予め定められた量ずつ変化した調整値が前記画質調整工程により反映された画像を予め定められた時間間隔で順番に前記表示手段に表示させる表示制御工程と、
前記表示手段に順番に表示される画像の中から目標とする画像を選択する第２の選択工程と、
前記第２の選択工程において選択された画像に対応する前記調整値を画質調整値として設定する設定工程と、
を具備することを特徴とする撮像装置の制御方法。
【請求項８】
前記時間間隔を設定する設定工程をさらに具備することを特徴とする請求項７に記載の撮像装置の制御方法。
【請求項９】
請求項５乃至８のいずれか１項に記載の制御方法をコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は、デジタルカメラ、ビデオカメラ等の撮像装置における画質調整技術に関するものである。
【背景技術】
【０００２】
従来より、撮影光学系で結像された被写体象を電気信号に変換し、画像データとして記録するデジタルカメラ、ビデオカメラ等の撮像装置が知られている。このような撮像装置においては、ユーザが好みに応じて画質を調整できる機能を備えているものが多い。
【０００３】
このような撮像装置における画質調整技術の１つとして、特開平３−２９１０６９号公報（特許文献１）には、プリセットした値に応じてカメラの画質を調整し、プリセットした値を記憶するカメラ画質調整装置が開示されている。
【０００４】
また、調整可能な複数の画質調整項目を１つのプリセットグループとした場合に、複数のプリセットグループを記憶可能なカメラも存在する。
【特許文献１】特開平３−２９１０６９号公報
【発明の開示】
【発明が解決しようとする課題】
【０００５】
しかしながら、上記の従来の撮像装置においては、画質を調整する操作性の点で以下のような問題があった。
（１）それぞれのプリセットグループの画質調整効果は、それぞれのプリセットグループを手動でプレビューさせてみなければそれらの差異が判らないため、最適なプリセットグループを選択するためには試行錯誤を繰り返す必要がある。
（２）プリセットグループ内の個々の画質調整項目を調整しようとした場合に、その設定値によってどのような画質調整効果や差異があるかは手動でプレビューさせてみなければ判らないため、最適な設定値を容易に選択することができない。
【０００６】
従って、本発明は上述した課題に鑑みてなされたものであり、その目的は、撮像装置を用いて被写体を撮影する場合に、撮影画像の画質をユーザが好みに応じて容易に調整できるようにすることである。
【課題を解決するための手段】
【０００７】
上述した課題を解決し、目的を達成するために、本発明に係わる撮像装置は、被写体像を光電変換して画像信号を生成する撮像手段と、前記撮像手段で生成された画像信号を表示する表示手段と、前記撮像手段により生成された画像信号の画質を調整する画質調整手段と、前記画質を調整するための複数の調整項目の各調整値を変化させた組み合わせである複数のプリセットグループを記憶する記憶手段と、前記複数のプリセットグループの画質調整値を前記画質調整手段により反映させた画像を予め定められた時間間隔で順番に前記表示手段に表示させる表示制御手段と、前記表示手段に順番に表示される画像の中から目標とする画像を選択する選択手段と、前記選択手段により選択された画像に対応する前記プリセットグループを画質調整値として設定する設定手段と、を具備することを特徴とする。
【０００８】
また、本発明に係わる撮像装置は、被写体像を光電変換して画像信号を生成する撮像手段と、前記撮像手段で生成された画像信号を表示する表示手段と、前記撮像手段により生成された画像信号の画質を調整する画質調整手段と、前記画質を調整するための複数の調整項目の１つを選択する第１の選択手段と、前記第１の選択手段により選択された１つの調整項目の調整値を予め定められた量ずつ変化させ、該予め定められた量ずつ変化した調整値が前記画質調整手段により反映された画像を予め定められた時間間隔で順番に前記表示手段に表示させる表示制御手段と、前記表示手段に順番に表示される画像の中から目標とする画像を選択する第２の選択手段と、前記第２の選択手段により選択された画像に対応する前記調整値を画質調整値として設定する設定手段と、を具備することを特徴とする。
【０００９】
また、本発明に係わる撮像装置の制御方法は、被写体像を光電変換して画像信号を生成する撮像手段と、前記撮像手段で生成された画像信号を表示する表示手段とを備える撮像装置を制御する方法であって、前記撮像手段により生成された画像信号の画質を調整する画質調整工程と、前記画質を調整するための複数の調整項目の各調整値を変化させた組み合わせである複数のプリセットグループを記憶する記憶工程と、前記複数のプリセットグループの画質調整値を前記画質調整工程において反映させた画像を予め定められた時間間隔で順番に前記表示手段に表示させる表示制御工程と、前記表示手段に順番に表示される画像の中から目標とする画像を選択する選択工程と、前記選択工程において選択された画像に対応する前記プリセットグループを画質調整値として設定する設定工程と、を具備することを特徴とする。
【００１０】
また、本発明に係わる撮像装置の制御方法は、被写体像を光電変換して画像信号を生成する撮像手段と、前記撮像手段で生成された画像信号を表示する表示手段とを備える撮像装置を制御する方法であって、前記撮像手段により生成された画像信号の画質を調整する画質調整工程と、前記画質を調整するための複数の調整項目の１つを選択する第１の選択工程と、前記第１の選択工程において選択された１つの調整項目の調整値を予め定められた量ずつ変化させ、該予め定められた量ずつ変化した調整値が前記画質調整工程により反映された画像を予め定められた時間間隔で順番に前記表示手段に表示させる表示制御工程と、前記表示手段に順番に表示される画像の中から目標とする画像を選択する第２の選択工程と、前記第２の選択工程において選択された画像に対応する前記調整値を画質調整値として設定する設定工程と、を具備することを特徴とする。
【００１１】
また、本発明に係わるプログラムは、上記の制御方法をコンピュータに実行させることを特徴とする。
【００１２】
また、本発明に係わる記憶媒体は、上記のプログラムを記憶したことを特徴とする。
【発明の効果】
【００１３】
本発明によれば、撮像装置を用いて被写体を撮影する場合に、撮影画像の画質をユーザが好みに応じて容易に調整することが可能となる。
【発明を実施するための最良の形態】
【００１４】
以下、本発明の好適な実施形態について、図面を参照して詳細に説明する。
【００１５】
（第１の実施形態）
図１は、本発明の撮像装置の第１の実施形態であるカメラ一体型ＶＴＲのブロック構成を示す図である。
【００１６】
図１において、Ｂ１００は各ブロックの制御信号線や、各ブロックへのデータの送受信に使用するアドレスバスやデータバスを表す。Ｂ１０１はマイクロコンピュータを表し、カメラ一体型ＶＴＲ全体を制御する。Ｂ１０２は信号処理部を表し、光電変換素子Ｂ１０５で被写体像を光電変換して得られた画像信号や、外部入出力コネクタＢ１０６から入力された画像信号を処理する。また、マイクＢ１０７から入力され音声信号処理部Ｂ１０８で処理された音声信号や、表示制御部Ｂ１１０を介して液晶パネルＢ１０９に表示するための画像信号を処理する。Ｂ１１５はレンズ部を表し、レンズ制御部Ｂ１１６によって制御される。また、Ｂ１２４は、Ｂ１０５、Ｂ１１５、Ｂ１１６を包含する撮像部である。
【００１７】
Ｂ１０３はメモリを表し、一時的なデータの記憶を行う。Ｂ１１４は電源制御部を表し、ＡＣアダプタＢ１１２やバッテリＢ１１３等の電源の制御を行う。Ｂ１１１は入力スイッチ類を表し、電源ボタンや撮影開始ボタンや再生画像の選択ボタンなどから構成される。Ｂ１２３は通信制御部を表し、通信コネクタＢ１２２を介して接続された機器との通信を行う。Ｂ１１８はＶＴＲ制御部を表し、ＶＴＲ部Ｂ１１７の制御と、動画像データと音声データの記録と再生を制御する。Ｂ１１９はメモリカードコントローラを表し、メモリカードＢ１２０の書き込みと読み出しを制御する。
【００１８】
図２は、本実施形態のカメラ一体型ＶＴＲに備えられている液晶パネルＢ１０９の画面を示す図である。図２を参照して、本実施形態における画質調整動作の概略について説明する。
【００１９】
まず、画質調整動作を行う前の前提について説明する。
【００２０】
本実施形態における画質調整とは、撮影した画像のカラーバランスなどを調整することである。具体的な画質調整項目としては、例えば、ガンマ特性、ニー特性、カラーマトリクス、カラーゲインなどが挙げられる。本実施形態では、これらの画質調整項目それぞれの値を変えた組み合わせを複数作成し、それぞれの組み合わせを１つのプリセットグループとしてメモリＢ１０３に記憶しておく。本実施形態では、例えばプリセットグループ１〜プリセットグループ５の５つのプリセットグループが既にメモリＢ１０３に記憶されているものとする。
【００２１】
このような前提のもとに、本実施形態の画質調整動作の概略について説明する。
【００２２】
まず、ユーザは、カメラ一体型ＶＴＲをこれから撮影しようとする被写体あるいは画質調整による画質の変化を判断しやすい被写体に向け、記録動作は行なわずにスルー画像を液晶パネルＢ１０９に表示させる。この状態で、入力スイッチ類Ｂ１１１に含まれる画質調整開始ボタンを押す。
【００２３】
画質調整開始ボタンが押されると、まず現在設定されている画質調整項目の各設定値（初期設定値）をメモリＢ１０３に記憶しておく。その後、液晶パネルＢ１０９に、プリセットグループ１の画質調整項目の各設定値を用いて信号処理部Ｂ１０２により画像処理を行なった画像を表示する。これにより、液晶パネルＢ１０９には、Ｆ３０１に示すようにプリセットグループ１の各画質調整値が反映された画像が表示される。このとき液晶パネルＢ１０９には、画像に重ねてその画像がプリセットグループ１の調整値が反映された画像であることを示す「プリセットグループ：１」という文字列が表示される。
【００２４】
次に、Ｆ３０１の画像が一定時間表示された後に、液晶パネルＢ１０９の画面は、プリセットグループ２の各画質調整値が反映された画像に切り替えられる。以下同様に、一定時間間隔で、プリセットグループ３の調整値が反映された画像、プリセットグループ４の調整値が反映された画像、プリセットグループ５の調整値が反映された画像、という順番で、画像が切り替えられる。また、プリセットグループ５の調整値が反映された画像の次には、上記の初期設定値が反映された画像が表示される。この場合には、液晶パネルＢ１０９の画面には画像に重ねて、例えば「プリセット非適用」という文字列が表示される。
【００２５】
このようにして、画質調整動作が開始されると、液晶パネルＢ１０９の画面には、初期設定値→プリセットグループ１→プリセットグループ２→…→プリセットグループ５という順番で各設定値が反映された画像が一定時間毎に切り替わって表示される。また、プリセットグループ５の調整値が反映された画像の次には、再び初期設定値が反映された画像が表示され、初期設定値〜プリセットグループ５までの画像が順番に繰り返して表示される。図２には、この変化の様子がＦ３０１、Ｆ３０２、Ｆ３０３、Ｆ３０４として示されている。
【００２６】
そして、ユーザは、それぞれのプリセットグループの画質調整効果を確認しながら、最も自分の好みに合う画像が表示されているときに、Ｆ３０１などに示されているＳＥＴボタン（図３を参照して後に説明する）を押す。これにより、そのときのプリセットグループの画質調整値がビデオカメラに設定される。
【００２７】
ユーザは、この画質調整動作が終了した後、本撮影動作を行なう。これにより、画質調整動作で選択されたプリセットグループの画質調整値が反映された画像が、本撮影画像として記録されることとなる。
【００２８】
以上の動作により、ユーザは、撮影画像を自分の好みにあった画質に容易に調整することが可能となる。
【００２９】
次に、図３は、入力スイッチ類Ｂ１１１に含まれるカメラ本体のスイッチ部を示す図である。
【００３０】
図３において、Ｂ１００１はＭＥＮＵボタンを表し、図４のステップＳ２０７や図８のステップＳ６１１などにおいて押されることによって、終了、或いは中止が実行される。Ｂ１００２はＳＥＴボタンを表し、図４のステップＳ２０８や図８のステップＳ６１２において押されることによって決定が実行される。Ｂ１０１１〜Ｂ１０１４は方向ボタンを表し、図２、図６、図７、図１０の表示画面において、ＵＩカーソルを押されたボタンの方向に移動したり、値を増減させる。
【００３１】
次に、上記のような画質調整動作を実現するための処理の流れを、図４に示すフローチャートを参照して説明する。
【００３２】
まず、上記で説明したように、ステップＳ２０１でユーザが入力スイッチ類Ｂ１１１に含まれる画質調整開始ボタンを押すことにより、画質調整動作が開始される。
【００３３】
ステップＳ２０２では、メモリＢ１０３に記憶されているプリセットグループ１〜５のプレビューを開始する前に、画質調整値の現状の値をメモリＢ１０３に記憶する。
【００３４】
そしてステップＳ２０３では、マイクロコンピュータＢ１０１が、まだプレビューをしていないプリセットグループの個々の画質調整値をメモリＢ１０３から読み出す。
【００３５】
ステップＳ２０４では、読み出したプリセットグループをプレビュー済みとして、プレビュー済み情報を更新し、ステップＳ２０５では、ステップＳ２０３で取得したプリセットグループの画質調整値をビデオカメラに設定する。これにより、液晶パネルＢ１０９には、設定した画質調整値が反映された画像が表示される。なお、どのプリセットグループの設定値を取得済みかを表わすプレビュー済み情報は、メモリＢ１０３などに記憶しておく。
【００３６】
ステップＳ２０６では、プレビューしているプリセットグループ名を画面に表示して（図２参照）、どのプリセットグループの画質調整値が現在の画面に反映されているかをユーザに通知する。
【００３７】
その状態で、ユーザがプレビューを終了する場合は、ステップＳ２０７において、ユーザは図３に示すＭＥＮＵボタンを押す。すると、ステップＳ２１４へ遷移して、プレビューを開始する前にメモリＢ１０３に記憶した画質調整値を読み出して、それらをステップＳ２１５で設定し、設定値を元に戻してプレビューを終了する。
【００３８】
ステップＳ２０７において、プレビューを終了しない場合はステップＳ２０８に分岐して、プレビュー中のプリセットグループの設定値を採用するかどうかを判断する。採用する場合は、ユーザは図３に示すＳＥＴボタンを押す。すると、その状態のままステップＳ２１６へ遷移して連続プレビューを終了し、そのときのプリセットグループが画質調整値としてカメラに設定される。
【００３９】
ステップＳ２０７において、採用すると判断しなかった場合はステップＳ２０９へ分岐する。ステップＳ２０９では、プレビュー時間を計測して、所定の時間が経過したかどうかを判断する。所定の時間が経過していなければ、ステップＳ２０７へ分岐して上記のステップＳ２０７からステップＳ２０９の処理を繰り返す。
【００４０】
所定の時間が経過したら、ステップＳ２１０へ遷移してプレビュー済み情報をマイクロコンピュータＢ１０１がメモリＢ１０３から読み出して、ステップＳ２１１で全てのプリセットグループをプレビューしたかどうかを判断する。全てのプリセットグループをプレビューしていなければ、ステップＳ２０３に分岐して上記のステップＳ２０３からステップＳ２１１の処理を繰り返す。
【００４１】
全てのプリセットグループをプレビューしていれば、プレビュー開始前にメモリＢ１０３に記憶した画質調整値を読み出して、ステップＳ２１３でプレビュー済み情報をクリアする。そして、ステップＳ２０５に戻って、ステップＳ２０５からステップＳ２１３を繰り返す。これにより、プレビュー前の画質→プリセットグループ１の画質→プリセットグループ２の画質→…→プリセットグループ５の画質というように、ユーザが各プリセットグループの画質を確認できるように、一定時間毎に切り替えて繰り返し表示することができる。
【００４２】
次に、上記のプリセットグループ毎のプレビュー画像を切り替える時間の設定方法について説明する。
【００４３】
図５は、プレビュー画像の切り替え時間を設定する動作を示すフローチャートである。
【００４４】
ステップＳ４０１は、プレビューするプリセットグループの切り替わり時間の設定開始を表し、カメラ本体の入力スイッチ類Ｂ１１１に含まれるスイッチの操作によって開始される。
【００４５】
ステップＳ４０２では、図６に示すような切り替え時間入力画面が表示される。
【００４６】
そして、ステップＳ４０３では、設定する時間を図３に示したスイッチ部を用いて入力する。図６では、切り替え時間を３秒に設定する例を示している。
【００４７】
ステップＳ４０４では入力された切り替え時間をメモリＢ１０３に記憶して、ステップＳ４０５で切り替え時間の設定を終了する。
【００４８】
以上説明したように、第１の実施形態によれば、それぞれのプリセットグループを手動でプレビューさせなくても、画質調整効果の差異が容易に確認でき、最適なプリセットグループを容易に判断することができる。
【００４９】
プレビューの切り替え時間を所望の時間間隔となるように指定できるので、プリセットグループ毎の画質調整効果を確実、且つ円滑に確認することができる。
【００５０】
また、特定のプリセットグループがプレビューされている状態で、ＳＥＴボタンを押して自動切り替えを停止させることにより、所望のプリセットグループを容易に決定することができる。
【００５１】
（第２の実施形態）
この第２の実施形態では、カメラ一体型ＶＴＲの構成は、第１の実施形態と同様である。
【００５２】
第１の実施形態では、複数のプリセットグループから１つのプリセットグループを選択するために、各プリセットグループの調整値が反映された画像を一定時間間隔で切り替え表示し、目的の画像が得られた時点でそのプリセットグループを選択するようにした。
【００５３】
これに対し、本実施形態では、プリセットグループを１つ選択した上で、そのプリセットグループ内の各調整値を微調整できるようにするものである。このようにするのは、希望の画質を得るために、希望の画質に近いプリセットグループをベースとして、そこから微調整したほうが最終的な目標画質を得やすいからである。
【００５４】
図７は、複数のプリセットグループから１つを選択した後に、そのプリセットグループ内の各調整値を微調整する動作の概略を示す図である。
【００５５】
まず、ユーザは、入力スイッチ類Ｂ１１１に含まれるプリセットグループ選択スイッチを押して、プリセットグループ選択画面Ｆ７０１を液晶パネルＢ１０９に表示させる。
【００５６】
次に、ユーザは、プリセットグループ選択画面Ｆ７０１から所望のプリセットグループを図３に示すスイッチ部を用いて選択する。ここでは、プリセットグループ３を選択したものとする。プリセットグループを選択すると、画質調整項目選択画面Ｆ７０２が表示される。
【００５７】
次に、ユーザは、選択したプリセットグループ内の画質調整項目から微調整したい項目を選択する。ここでは、カラーゲインを選択したものとする。
【００５８】
調整したい画質調整項目を選択すると、Ｆ７１１〜Ｆ７１４に示すように、カラーゲインの調整範囲である−５〜＋５の範囲で、カラーゲイン値を一定量ずつ変えた画像が一定時間間隔毎に切り替わって表示される。ユーザは、自分の好みの画像になったところで図３のＳＥＴボタンを押す。これにより、そのときのカラーゲイン値が画質調整値としてカメラに設定される。この動作は、切り替わる対象がプリセットグループから各画質調整項目に変更されただけで、基本的に第１の実施形態の動作と同じである。
【００５９】
図８は、複数のプリセットグループから１つを選択した後に、その選択されたプリセットグループ内の各画質調整項目毎に値を微調整する動作を示すフローチャートである。
【００６０】
ステップＳ６０１は、画質調整項目の設定値を連続的に変化させる動作の開始を表し、入力スイッチ類Ｂ１１１に含まれるプリセットグループ選択スイッチを押すことより開始される。
【００６１】
ステップＳ６０２では、連続的に変化させる画質調整項目が所属しているプリセットグループを選択する（図７のＦ７０１）。
【００６２】
ステップＳ６０３では、選択したプリセットグループに所属する画質調整項目の内、連続的に変化させる画質調整項目を選択する（図７のＦ７０２）。
【００６３】
ステップＳ６０４では、選択された画質調整項目の現状の値をメモリＢ１０３に記憶する。
【００６４】
ステップＳ６０５では、選択された画質調整項目の設定可能な範囲をメモリＢ１０３から取得する。
【００６５】
ステップＳ６０６では、既に設定済みの設定値を確認する。
【００６６】
ステップＳ６０７では、設定済みの設定値から変化させるべき値を決定して、設定済みの設定値に変化させる値を加算して変化後の設定値を決定する。
【００６７】
ステップＳ６０８では、決定した値を設定済みの情報として更新する。
【００６８】
ステップＳ６０７で決定した値をステップＳ６０９で画質調整値として設定すると同時に、選択したプリセットグループの選択した画質調整項目の設定値として記憶する。これにより、実際のカメラで撮影した画像に設定した画質調整値が反映される。
【００６９】
ステップＳ６１０では、選択された画質調整項目名を液晶パネルＢ１０９に表示して、変化中であることをユーザに通知する。
【００７０】
ステップＳ６１１では、選択した画質調整項目の自動的な変化を中止して、変化する前に記憶した値に戻すかどうかを判断する。中止する場合は、ユーザは図３のＭＥＮＵボタンを押す。すると、ステップＳ６１８に遷移して変化をさせる前にメモリＢ１０３に記憶された設定値を取得して、ステップＳ６１９で、画質調整値と選択されたプリセットグループの情報を元の値に戻す。その後、ステップＳ６２０に遷移して画質調整項目の設定値を連続的に変化させる動作を終了する。
【００７１】
一方、ステップＳ６１１において中止しない場合は、ステップＳ６１２へ分岐して、画質調整値に設定された値を採用するかどうかを判断する。採用する場合は、ユーザは、図３のＳＥＴボタンを押す。すると、ステップＳ６２０へ遷移して、ＳＥＴボタンを押した時点での設定値がカメラに設定され、終了する。
【００７２】
ステップＳ６１２において採用しない場合は、ステップＳ６１３へ遷移して所定の時間が経過したかどうかを判断する。時間が経過していなければ、ステップＳ６１１へ分岐して上記のステップＳ６１１からステップＳ６１３の処理を繰り返す。
【００７３】
ステップＳ６１３で所定の時間が経過していれば、ステップＳ６１４へ遷移して、既に設定済みの情報を取得して、ステップＳ６１５で設定可能な範囲の値を全て設定したかどうかを判断する。
【００７４】
設定可能な全ての値を設定していなければ、ステップＳ６０６へ分岐して上記のステップＳ６０６からステップＳ６１５の処理を繰り返す。
【００７５】
ステップＳ６１５で設定可能な全ての値が設定済みであれば、ステップＳ６１６へ遷移して変化動作を開始する前にメモリＢ１０３に記憶した値を取得する。そして、ステップＳ６１７で設定済みの情報をクリアする。そして、ステップＳ６０９に戻って、ステップＳ６０９からステップＳ６１７を繰り返す。
【００７６】
これにより、調整項目の変化前の画質→調整項目の設定値を一定値ずつ変化させたときの画質というように、ユーザが調整項目の設定値の変化による画質変化を確認できるように、一定時間毎に画像を切り替えて繰り返し表示することができる。
【００７７】
次に、選択した調整項目の設定値の変化時間の設定方法について説明する。
【００７８】
図９は、設定値の変化時間を設定する動作を示すフローチャートである。
【００７９】
ステップＳ８０１は、画質調整項目の設定値を変化させるまでの時間の設定開始を表し、カメラ本体の入力スイッチ類Ｂ１１１に含まれるスイッチの操作によって開始される。
【００８０】
ステップＳ８０２では、変化時間入力画面（図１０参照）を表示する。
【００８１】
ステップＳ８０３では、設定する時間を図３のスイッチ部を用いて入力する。ここでは１秒に設定したものとする。
【００８２】
そして、ステップＳ８０４では入力された変化時間をメモリＢ１０３に記憶して、ステップＳ８０５で変化時間の設定を終了する。
【００８３】
以上説明したように、第２の実施形態によれば、画質調整項目の設定値を手動で設定しなくても、最適な設定値を容易に判断することができる。
【００８４】
また、画質調整項目の設定値を自動的に変化させる時間間隔を任意に設定することができるので、設定値による画質調整効果や差異を確実、且つ円滑に確認することができる。
【００８５】
また、特定の設定値の画像がプレビューされている状態でＳＥＴボタンを押して、自動変化を停止させることで、所望の設定値を容易に決定することができる。
【００８６】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００８７】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００８８】
本発明を上記記憶媒体に適用する場合、その記憶媒体には、先に説明した手順に対応するプログラムコードが格納されることになる。
【図面の簡単な説明】
【００８９】
【図１】本発明の撮像装置の第１の実施形態であるカメラ一体型ＶＴＲのブロック構成を示す図である。
【図２】本発明の第１の実施形態のカメラ一体型ＶＴＲに備えられている液晶パネルの画面を示す図である。
【図３】入力スイッチ類に含まれるカメラ本体のスイッチ部を示す図である。
【図４】画質調整動作を実現するための処理の流れを示すフローチャートである。
【図５】プレビュー画像の切り替え時間を設定する動作を示すフローチャートである。
【図６】切り替え時間入力画面を示す図である。
【図７】複数のプリセットグループから１つを選択した後に、そのプリセットグループ内の各調整値を微調整する動作の概略を示す図である。
【図８】複数のプリセットグループから１つを選択した後に、その選択されたプリセットグループ内の各画質調整項目毎に値を微調整する動作を示すフローチャートである。
【図９】設定値の変化時間を設定する動作を示すフローチャートである。
【図１０】変化時間入力画面を示す図である。
【図１】
2007288620.tif 000003
【図２】
2007288620.tif 000004
【図３】
2007288620.tif 000005
【図４】
2007288620.tif 000006
【図５】
2007288620.tif 000007
【図６】
2007288620.tif 000008
【図７】
2007288620.tif 000009
【図８】
2007288620.tif 000010
【図９】
2007288620.tif 000011
【図１０】
2007288620.tif 000012